(57)【要約】【課題】コードレスＩＰ電話機において、契約電話番号に対する着信においては設定された子機を一斉鳴動させ、特定の追加の電話番号に対する着信の場合、該当する子機のみ着信鳴動させる。【解決手段】コードレスＩＰ電話機の親機２００には契約電話番号が付与され、複数の子機３００には追加番号サービスによる追加電話番号がそれぞれ付与され、親機２００は各子機への着信を制御する着信制御部２１１を備え、該着信制御部２１１は各子機３００に割り当てられた追加電話番号への着信時に該当する子機を呼出し、着信鳴動させる。また、契約電話番号への着信時には各子機を一斉呼出しして一斉着信鳴動させる。この時、一斉鳴動着信可を設定した子機３００のみを一斉着信鳴動させる。【選択図】図３
2008187568.tif 000002
【特許請求の範囲】
【請求項１】
親機と複数の子機を有するコードレスＩＰ電話機が接続されたＩＰ電話システムにおいて、
前記コードレスＩＰ電話機の親機には契約電話番号が付与され、前記複数の子機には追加番号サービスによる追加電話番号がそれぞれ付与され、
前記親機は各子機への着信を制御する着信制御部を備え、該着信制御部は各子機に割り当てられた追加電話番号への着信時に該当する子機を呼出し、着信鳴動させることを特徴とするＩＰ電話システム。
【請求項２】
更に、前記着信制御部は、契約電話番号に対する着信時には、複数の子機を一斉に呼出し、一斉着信鳴動させることを特徴とする請求項１に記載のＩＰ電話システム。
【請求項３】
前記各子機は、一斉呼出しにおける一斉着信鳴動の可否を設定する子機設定登録部を備え、
前記親機の着信制御部は契約電話番号に対する着信時には、前記一斉着信鳴動が可に設定された子機を呼出し、着信鳴動させることを特徴とする請求項２に記載のＩＰ電話システム。
【請求項４】
ＩＰ電話システムに接続され、親機と複数の子機を有するコードレスＩＰ電話機において、
前記コードレスＩＰ電話機の親機には契約電話番号が付与され、前記複数の子機には追加番号サービスによる追加電話番号がそれぞれ付与され、
前記親機は各子機への着信を制御する着信制御部を備え、該着信制御部は各子機に割り当てられた追加電話番号への着信時に該当する子機を呼出し、着信鳴動させることを特徴とするコードレスＩＰ電話機。
【請求項５】
更に、前記着信制御部は、契約電話番号に対する着信時には、複数の子機を一斉に呼出し、一斉着信鳴動させることを特徴とする請求項４に記載のコードレスＩＰ電話機。
【請求項６】
前記各子機は、一斉呼出しにおける一斉着信鳴動の可否を設定する子機設定登録部を備え、
前記親機の着信制御部は契約電話番号に対する着信時には、前記一斉着信鳴動が可に設定された子機を呼出し、着信鳴動させることを特徴とする請求項５に記載のコードレスＩＰ電話機。
【発明の詳細な説明】
【技術分野】
【０００１】
本発明は、ＩＰ電話機として機能するコードレスＩＰ電話機およびＩＰ電話システムに関するものであり、特に、コードレスＩＰ電話機が一般のアナログ電話などにおいて提供されている追加番号サービスのように１つの契約電話番号に追加して複数の追加の電話番号を利用する設定がなされ、該コードレスＩＰ電話機の複数の子機にそれぞれの追加の電話番号を割り当てて運用される場合に、契約電話番号への着信に対して子機を一斉着信鳴動させる設定および特定の子機に割り当てられた追加の電話番号への着信に対して該特定の子機のみ着信鳴動させる設定を可能としてＩＰコードレス電話機およびＩＰ電話システムに関するものである。
【背景技術】
【０００２】
近年、ＩＰネットワークを使用したＩＰ電話サービスが行なわれている。ＩＰ電話システムにおいて、音声はデジタル化され、さらにＩＰパケットに変換され、ＩＰネットワーク上を流れ、通話先まで到達する。通話先において受信されたＩＰパケットは元の情報に復元され、こうして送り側と通話先との間で通話を行なうことができる。このＩＰ電話システムは、既存の電話網と比べて、運用・保守・管理コストを削減することができるため、広く使用されつつある。
【０００３】
このようなＩＰ電話システムとして、現在、ＶｏＩＰ（Ｖｏｉｃｅ  ｏｖｅｒ  Ｉｎｔｅｒｎｅｔ  Ｐｒｏｔｏｃｏｌ）システムが市販されている。ＶｏＩＰシステムの代表的な呼制御プロトコルとしてＳＩＰ（Ｓｅｓｓｉｏｎ  Ｉｎｉｔｉａｔｉｏｎ  Ｐｒｏｔｏｃoｌ）がある。このＳＩＰのサーバによる呼制御にはＩＮＶＩＴＥと呼ばれる発信用の制御コマンドがある。ＩＮＶＩＴＥコマンドは発信側のＩＰ電話機より送信先に送られる最初の制御メッセージで、このメッセージには、宛先アドレス、発信者アドレス、通信能力情報のほか発信者名や会社名などを電話機毎に発呼用の付帯情報として着信先に送ることができる。
【０００４】
ＩＰネットワークでは、ＩＰアドレスのような機器に割当てられたアドレスを使用することによって相手を一意に認識する必要がある。このため、一般に、ＳＩＰサーバと呼ばれる装置を使用する。ＳＩＰサーバは、ＩＰ電話機に割当てられた電話番号とＩＰアドレスとを関連付けたデータベースを管理しており、ＩＰ電話機からの電話番号の指定に応じ、対応するＩＰアドレスを検索することによって、通話先のＩＰ電話機のＩＰアドレスを指定できるようにする。
【０００５】
尚、ＳＩＰのシステムでは電話番号とＩＰアドレスをＳＩＰサーバで関連づけているが、Ｈ.３２３のシステムではゲートキーパが電話番号とＩＰアドレスを関連づけている。
【０００６】
例えば、特許文献１（特開２００４−１４７１０１号公報）に開示されたＩＰ電話システムにおいては、ＩＰ電話機の運用開始前に、ＩＰ電話機からＭＡＣアドレスおよびＩＰアドレスを受信し、そのネットワークアドレスに含まれるアドレスに基づいて予め設定された電話番号を採番してＩＰ電話機に通知するとともに、電話番号、ＩＰアドレスおよびＭＡＣアドレスを関連づけて登録・管理する電話番号採番手段を備えたゲートキーパ装置を開示している。上記特許文献１で開示されたような装置を使用すると、ユーザー端末ごとに、電話番号などの固有のアドレスや設定情報を電源投入時等に自動的に設定することができる。
【０００７】
前述のようなＩＰ電話システムにおいて、特定のＩＰ電話機に着信があった場合、相手側（発信側）ＩＰ電話機と着信側ＩＰ電話機との間で、音声コーデックやパケット長などの接続メディアを確認しあった後に接続、通話が開始される。このプロセスを一般にはネゴシエーションプロセスという。ネゴシエーションプロセスは、例えば現在市販されているＶｏＩＰ（Ｖｏｉｃｅ  ｏｖｅｒ  Ｉｎｔｅｒｎｅｔ  Ｐｒｏｔｏｃｏｌ）システムを用いて行われる。
【０００８】
一方、最近では、通信コストを削減するため通信料金が安価なＩＰ電話機を導入するオフィスが増加している。更にＩＰ電話システム用の各種機器も比較的低価格になってきており、ＩＰ電話システムを設置する家庭も増加している。また、一般の加入者電話においては、代表番号着信、グループ着信、不在登録や不在転送サービスなど、通信事業者が提供するサービスが充実している。また、企業内に設置される構内交換機に同様の機能を搭載する例もある。
【０００９】
例えば、下記の特許文献２（特開２００４−２３５７７８号公報）には上記ＳＩＰシステムを用いたＩＰ電話システムが開示されている。このようなＳＩＰシステムによれば、代理応答機能、自動転送機能、一斉呼出し機能など種々の機能を有するＩＰ電話システムを構築することができる。従って、グループ電話番号と当該グループ電話番号に着信した通話を接続させる複数のＩＰ電話機とをグループとして設定し、当該グループ電話番号に対する着信をグループ設定したＩＰ電話機の何れかに着信させるシステムとすることができる。
【００１０】
また、家庭内にＩＰ電話システムを設置した場合、ＩＰ電話システムに接続されるＩＰ電話機として、単なる固定電話でなく、複数の子機を無線接続することができるコードレス電話機を設置すると、子機を複数の部屋にそれぞれ置いておくことができ便利であり、ＩＰ電話機として機能するコードレスＩＰ電話機も提供されている。
【特許文献１】特開２００４−１４７１０１号公報
【特許文献２】特開２００４−２３５７７８号公報
【発明の開示】
【発明が解決しようとする課題】
【００１１】
ところで、一般のアナログ加入者電話などにおいては、１つの契約電話番号に追加して複数の追加の電話番号を利用することができる追加番号サービスが提供されている。コードレス電話機を用いて追加番号サービスの提供を受けると、複数の子機に複数の追加の電話番号を個別に割り当て家族のそれぞれが利用するようにできる。すなわち、子機に割り当てた追加の電話番号を家族のそれぞれが専用に利用することができる。
【００１２】
家庭内に設置したＩＰ電話システムのＩＰ電話機としてコードレスＩＰ電話機を用いて前述と同様の追加番号サービスを利用する場合、各子機には特定の追加の電話番号が割り当てられており、家族のそれぞれが特定の子機（特定の追加の電話番号）を使用することから、親機が着信に際して子機を区別して呼び出し着信鳴動させることができると好都合である。
【００１３】
すなわち、親機が着信電話番号に対して子機を呼び出して着信鳴動させる際に、契約電話番号に対する着信と複数の追加の電話番号に対する着信がある。契約電話番号に対する着信においては全ての子機を一斉鳴動させ、特定の追加の電話番号に対する着信の場合、該当する子機のみ着信鳴動させるように子機呼び出しを行うことができると着信を子機側で区別でき好都合である。しかしながら、上記特許文献１や特許文献２に開示されたＩＰ電話機においてはこのような考慮がなされておらず、子機側で着信を区別することができないという問題点があった。
【００１４】
本願の発明者は上記の問題点を解消すべく種々検討を重ねた結果、複数の子機にそれぞれの追加の電話番号を割り当てて運用されるコードレスＩＰ電話機において、契約電話番号への着信に対して子機を一斉着信鳴動させる設定および特定の子機に割り当てられた追加の電話番号への着信に対して該特定の子機のみ着信鳴動させる設定を可能となせば上記の問題点を解消し得ることに想到して本発明を完成するに至ったものである。
【００１５】
すなわち、本発明は上記の問題点を解消することを課題とし、複数の子機にそれぞれの追加の電話番号を割り当てて運用されるコードレスＩＰ電話機において、契約電話番号に対する着信においては全ての子機を一斉鳴動させ、特定の追加の電話番号に対する着信の場合、該当する子機のみ着信鳴動させるようにしたコードレスＩＰ電話機およびＩＰ電話システムを提供することを目的とするものである。
【課題を解決するための手段】
【００１６】
前記課題を解決するために、本願の請求項１にかかる発明は、親機と複数の子機を有するコードレスＩＰ電話機が接続されたＩＰ電話システムにおいて、前記コードレスＩＰ電話機の親機には契約電話番号が付与され、前記複数の子機には追加番号サービスによる追加電話番号がそれぞれ付与され、前記親機は各子機への着信を制御する着信制御部を備え、該着信制御部は各子機に割り当てられた追加電話番号への着信時に該当する子機を呼出し、着信鳴動させることを特徴とする。
【００１７】
本願の請求項２にかかる発明は、請求項１にかかるＩＰ電話システムにおいて、更に、前記着信制御部は、契約電話番号に対する着信時には、複数の子機を一斉に呼出し、一斉着信鳴動させることを特徴とする。
【００１８】
本願の請求項３にかかる発明は、請求項２にかかるＩＰ電話システムにおいて、前記各子機は、一斉呼出しにおける一斉着信鳴動の可否を設定する子機設定登録部を備え、前記親機の着信制御部は契約電話番号に対する着信時には、前記一斉着信鳴動が可に設定された子機を呼出し、着信鳴動させることを特徴とする。
【００１９】
また、本願の請求項４にかかる発明は、ＩＰ電話システムに接続され、親機と複数の子機を有するコードレスＩＰ電話機において、前記コードレスＩＰ電話機の親機には契約電話番号が付与され、前記複数の子機には追加番号サービスによる追加電話番号がそれぞれ付与され、前記親機は各子機への着信を制御する着信制御部を備え、該着信制御部は各子機に割り当てられた追加電話番号への着信時に該当する子機を呼出し、着信鳴動させることを特徴とする。
【００２０】
本願の請求項５にかかる発明は、請求項４にかかるコードレスＩＰ電話機において、更に、前記着信制御部は、契約電話番号に対する着信時には、複数の子機を一斉に呼出し、一斉着信鳴動させることを特徴とする。
【００２１】
本願の請求項６にかかる発明は、請求項５にかかるコードレスＩＰ電話機において、前記各子機は、一斉呼出しにおける一斉着信鳴動の可否を設定する子機設定登録部を備え、前記親機の着信制御部は契約電話番号に対する着信時には、前記一斉着信鳴動が可に設定された子機を呼出し、着信鳴動させることを特徴とする。
【発明の効果】
【００２２】
請求項１、請求項４にかかる発明においては、コードレスＩＰ電話機の親機には契約電話番号が付与され、前記複数の子機には追加番号サービスによる追加電話番号がそれぞれ付与され、前記親機は各子機への着信を制御する着信制御部を備え、該着信制御部は各子機に割り当てられた追加電話番号への着信時に該当する子機を呼出し、着信鳴動させる。
【００２３】
このような構成によれば、追加電話番号への着信に対しては該追加電話番号が割り当てられた子機のみを着信鳴動させ、子機ユーザーは自子機に対する着信のみを識別できるようになる。
【００２４】
請求項２、請求項５にかかる発明においては、それぞれ請求項１、請求項４にかかる発明において、更に、前記着信制御部は、契約電話番号に対する着信時には、複数の子機を一斉に呼出し、一斉着信鳴動させる。また、請求項３、請求項６にかかる発明においては、それぞれ請求項２、請求項５にかかる発明において、子機は、一斉呼出しにおける一斉着信鳴動の可否を設定する子機設定登録部を備え、前記親機の着信制御部は契約電話番号に対する着信時には、前記一斉着信鳴動が可に設定された子機を呼出し、着信鳴動させる。
【００２５】
このような構成によれば、契約電話番号の着信に対しては各子機を一斉着信鳴動させることができる。また、子機設定登録において一斉着信鳴動を可と設定した子機のみを契約電話番号への着信に対して一斉着信鳴動させるようにすることができる。この結果、子機のユーザーの好みにより自子機宛ての着信のみ着信鳴動させ、契約電話番号宛ての着信に対しては一斉着信鳴動させないようにすることができるようになる。
【発明を実施するための最良の形態】
【００２６】
以下、本発明の具体例を実施例及び図面を用いて詳細に説明する。但し、以下に示す実施例は、本発明の技術思想を具体化するためのコードレスＩＰ電話機およびＩＰ電話システムを例示するものであって、本発明をこの実施例のコードレスＩＰ電話機およびＩＰ電話システムに特定することを意図するものではなく、特許請求の範囲に含まれるその他の実施形態のコードレスＩＰ電話機およびＩＰ電話システムにも等しく適用し得るものである
【実施例】
【００２７】
図１は、本発明のコードレスＩＰ電話機を備えたＩＰ電話システムの全体概略図である。コードレスＩＰ電話機を備えたＩＰ電話システムは、ＬＡＮ等のネットワーク１にそれぞれ接続された複数のコードレスＩＰ電話機１０、設定管理サーバ２０、接続制御サーバ３０、管理者用ＰＣ装置４０を備える。図１では、一例として三台のコードレスＩＰ電話機（コードレスＩＰ電話機Ａ、コードレスＩＰ電話機Ｂ、コードレスＩＰ電話機Ｃ）が接続されている。
【００２８】
図２は、ネットワークに接続された設定管理サーバ２０の全体概略図である。設定管理サーバ２０は、ネットワーク１に接続された各ＩＰ電話機１０を動作させるための各種設定情報（IPアドレス、MACアドレス、サーバ設定情報など）を管理したり、各ＩＰ電話機を使用するユーザーに関する情報（ユーザーID、パスワード、ユーザー設定情報、ユーザー入力情報など）を管理したりするものであり、管理者の準備するサーバ用コンピュータ、パーソナルコンピュータと必要なソフトウエアを使用して構成することができる。設定管理サーバ２０は、ネットワーク制御部２１、メイン制御部２２、ユーザー認証部２３、設定要求処理部２４、登録要求処理部２５、データベース管理部２６を備える。さらに設定管理サーバ２０は、ユーザー管理テーブル２７、端末管理テーブル２８、ＩＰアドレス−電話番号管理テーブル２９から成る管理データベースを備える。
ネットワーク制御部２１は、設定管理サーバ２０をネットワークに接続し、ネットワーク１に接続された各ＩＰ電話機１０と通信を可能にするためのものであり、設定管理サーバ２０において生成されるデータを適切なデータ形式に変換し、各ＩＰ電話機１０等に送信し、また、ＩＰ電話機１０からの信号を受信し、設定管理サーバ２０で使用できる形式に変換するものである。メイン制御部２２は、設定管理サーバ２０の各種制御・処理を実行するものであり、図示しないメモリに記憶されたプログラムを、図示しないＣＰＵによって実行することにより実現される。
【００２９】
ユーザー認証部２３は、各ＩＰ電話機１０から認証時にユーザーが入力したユーザー認証情報（ユーザーＩＤとパスワード）を含むログイン要求を受信した際に、ユーザー管理テーブル２７にアクセスし、権限があるかどうか判定を行なう。設定要求処理部２４は、各ＩＰ電話機１０からログイン要求・ログアウト要求等各種設定要求を受信した場合に、それを解読し各種処理を実行する。登録要求処理部２５は、後述するが、ユーザー管理テーブル２７に記憶されているユーザーごとに割当てられた電話番号と、ログイン要求を受信したＩＰ電話機のＩＰアドレスとを関連付けてＩＰアドレス−電話番号管理テーブル２９に登録するとともに、接続制御サーバ３０に上記電話番号とＩＰアドレスとを登録し、通話が行なえるようにする。
【００３０】
また、各ＩＰ電話機１０から受信するログアウト要求に応じて、ＩＰアドレス−電話番号管理テーブル２９から登録を削除するとともに、接続制御サーバ３０へ上記電話番号とＩＰアドレスの登録削除要求を送出する。なお、ここで設定管理サーバ２０は各種設定情報やユーザー情報を管理し、登録・登録削除の処理を行ない、接続制御サーバ３０は管理サーバ２０によって行なわれる登録情報に基づいてＩＰ電話機の接続を主に行なうものとしたが、接続制御サーバ３０と管理サーバ２０を一つの装置にまとめ、各種設定情報またユーザー情報の管理と接続制御を一つの装置において動作させてもよい。
【００３１】
本実施例においてＩＰ電話機１０はコードレスＩＰ電話機であり親機と複数の子機から構成される。また、コードレスＩＰ電話機は追加番号サービス登録したコードレスＩＰ電話機であって、親機には契約電話番号が付与され（割り当てられ）、各子機にはそれぞれ追加の電話番号が付与（割り当てられ）ている。以下、このコードレスＩＰ電話機の構成について説明する。
【００３２】
図３、図４は、本発明の実施例にかかるコードレスＩＰ電話機の親機２００および子機３００の構成を示すブロック図である。親機２００は、図３に示すようにＶｏｉｐエンジン（Ｖｏｉｐ  ＥＧ）２３０を備え、ＬＡＮインターフェイス（ＩＦ）２４０を介してＬＡＮ等のネットワークに接続されている。
親機２００は、音声出力のためのスピーカ２０１、音声入力のためのマイク２０２、音声コーデック２０３を備え、音声コーデック２０３は音声の符号化と複合化、すなわち音声のアナログとデジタルの変換を行っている。この音声コーデック２０３はその他に受話音量やマイクの感度変更の機能を備えている。無線部２２０は、アンテナを介して子機３００との間で発信信号、着信信号、送話音声信号、受信音声信号を通信する。
【００３３】
また、親機２００は、ディスプレイパネルによる表示部２０４と、主としてプッシュ釦などから構成される入力部２０５と、ＲＯＭ２０６、ＲＡＭ２０７、ＥＥＰＲＯＭ２０８、無線部２２０を備えている。主制御部２１０はマイクロプロセッサ等のコンピュータ装置で構成され、ＲＯＭ２０６やＥＥＰＲＯＭ２０８に蓄積された制御プログラムや各種設定値に基づいて各部の制御を行う。また、主制御部２１０はＲＡＭ２０７に各部の処理において必要なデータ類を一時記憶する。
【００３４】
主制御部２１０は、各子機への着信を制御する着信制御部２１１を有する。該着信制御部２１１は各子機に割り当てられた追加電話番号への着信時に該当する子機を呼出し、着信鳴動させる。また、契約電話番号に対する着信時には、複数の子機を一斉に呼出し、一斉着信鳴動させる。各子機の呼出し、着信鳴動は一般のコードレス電話機と同様に、着信データに含まれる着信先の電話番号に基づき行われる。
【００３５】
更に、着信制御部２１１は、以下に説明する子機設定登録情報に基づいて、契約電話番号への着信時に一斉着信鳴動させる子機を特定して着信制御する。すなわち、子機設定において契約電話番号に対する着信時の一斉着信鳴動を可と設定した子機３００を特定して一斉着信鳴動させ、一斉着信鳴動を不可と設定した子機３００は一斉着信鳴動させないように着信制御することもできる。
【００３６】
一方、子機３００は図４に示すように、音声信号処理部３０２、無線部３０３、制御部３０４、マイク・スピーカ部３０５、操作・表示部３０６、メモリ３０７、アンテナ３０８を備えて構成されている。制御部３０４はマイクロプロセッサからなる制御回路であり、図示していないＲＯＭ、ＲＡＭを備えている。ＲＯＭには各部動作を制御するプログラムを記憶しており、制御部３０４が親機２００と通信するためのプログラムなども書き込まれている。ＲＡＭには制御部３０４の動作に必要な情報を記憶する。
【００３７】
音声信号処理部３０２は受話音声信号を処理してマイク・スピーカ部３０５を介して出力し、あるいは、マイク・スピーカ部３０５を介して入力された送話音声を処理して音声信号に変換して送出する。無線部３０３はアンテナ３０８を介して親機２００との間で発信信号、送話音声信号、受信音声信号を通信する。
【００３８】
操作・表示部３０６は、ディスプレイ、機能キー、数字キーなどから構成され、数字キーは発信の際の電話番号入力に用いられ、機能キーは種々の機能を選択したり設定したりするために用いられる。すなわち、機能キーを操作してディスプレイに所望の機能設定画面を表示して子機３００における種々の機能設定をすることができる。この子機設定登録の各項目の設定内容はメモリ３０７の子機設定登録部３７１に登録される。
【００３９】
制御部３０４は、着信検出制御部３４１を有しており、親機２００からの着信呼出しを検出して着信鳴動させ、自子機に対して応答操作が行われると、着信接続を確立して発信元との通話を開始する。メモリ３０７には子機３００の各種機能の設定状況が記憶される他、ユーザーが入力する電話帳、短縮ダイヤルの登録情報を記憶することができる。
【００４０】
図５は、子機設定登録部３７１に登録する子機設定の項目の一例を示す図である。子機設定の項目には、図５に示すように、子機の名前（子機名前）、指定着信番号、一斉着信鳴動の可否などを登録することができ、指定着信番号には設定内容の欄に示すように当該子機３００に付与された追加電話番号が設定される。また、一斉着信鳴動の可否登録の項目には、契約電話番号への着信に対して当該子機を一斉着信鳴動の対象とするか否かを設定することができる。図５に示す子機の場合、一斉着信鳴動を可とする設定がなされている。この子機設定登録の情報は親機２００に送られ、親機２００はこの子機設定登録に従って着信制御する。
【００４１】
図６は、親機３００における子機の呼出し、着信鳴動制御の手順を示すフローチャートである。着信制御部２１１は、ステップＳ１１の処理において接続制御サーバ３０を介して送信される情報を受け、自機に対する着信であるかを判別する。着信でない場合、ステップＳ１２に進み、送信された情報に対する処理を行い、ステップＳ１１の処理を繰り返す。
【００４２】
ステップＳ１１の判定処理において自機に対する着信であると判定すると、ステップＳ１３の処理において接続制御サーバ３０からの受信情報に基づいて着信先の電話番号を検出する。そしてステップＳ１４の判定処理に進み、検出した着信先の電話番号が契約電話番号か、あるいは、各子機に割り当てられた追加電話番号か、を判定する。
【００４３】
着信先の電話番号が契約電話番号である場合、ステップＳ１６の処理に進み各子機３００を一斉に呼び出して一斉着信鳴動をさせる。契約電話番号に対する着信でない場合はステップＳ１５の処理に進み、着信電話番号すなわち追加電話番号に対応した子機３００を呼出して着信鳴動させる。
【００４４】
なお、ステップＳ１６の一斉着信鳴動の処理において、着信制御部２１１は各子機３００の子機設定登録のデータを参照して、一斉着信鳴動を可と設定した子機のみを一斉着信鳴動させる。この結果、契約電話番号に対する着信時に、一斉着信鳴動を不可と設定した子機３００には一斉着信鳴動が行われず、前記のように不可を設定した子機３００のユーザーは該子機に割り当てられた追加電話番号への着信時のみ着信鳴動が行われ、着信識別ができるようになる。
【００４５】
そして、主制御部２１０は、ステップＳ１７の処理において呼出しした子機からの応答有無を判定する。各子機３００から応答がなければステップＳ１７の処理を繰り返し、特定の子機３００からの応答を検出すると、ステップＳ１８の処理において該子機３００の着信接続を確立して通話を開始する。次いで、ステップＳ１９の処理において通話が終了したかを判定し、通話が終了していなければステップＳ１８の処理に戻り、通話が終了したことが判定されると処理を終了する。
【００４６】
以上説明したように、本発明によれば、ＩＰ電話システムに接続され、追加番号サービス登録されたコードレスＩＰ電話機において、追加電話番号への着信に対しては該追加電話番号が割り当てられた子機のみを着信鳴動させ、契約電話番号の着信に対しては各子機を一斉着信鳴動させることができる。また、子機設定登録において一斉着信鳴動を可と設定した子機のみを契約電話番号への着信に対して一斉着信鳴動させるようにすることができる。この結果、子機のユーザーの好みにより自子機宛ての着信のみ着信鳴動させ、契約電話番号宛ての着信に対しては一斉着信鳴動させないようにすることができる。
【図面の簡単な説明】
【００４７】
【図１】本発明の実施例にかかるコードレスＩＰ電話機の構成を示すブロック図である。
【図２】ＩＰ電話システムにおける設定管理サーバの構成を示すブロック図である。
【図３】本発明の実施例にかかるコードレスＩＰ電話機の親機の構成を示すブロック図である。
【図４】本発明の実施例にかかるコードレスＩＰ電話機の子機の構成を示すブロック図である。
【図５】子機設定登録部に設定される子機設定内容の一例を示す図である。
【図６】コードレスＩＰ電話機の親機における子機呼出し、着信制御の手順を示すフローチャートである。
【符号の説明】
【００４８】
１０・・・・コードレスＩＰ電話機
２００・・・親機
２０１・・・スピーカ
２０２・・・マイク
２０３・・・音声コーデック
２０４・・・表示部
２０５・・・入力部
２０６・・・ＲＯＭ
２０７・・・ＲＡＭ
２０８・・・ＥＥＰＲＯＭ
２１０・・・主制御部
２１１・・・着信制御部
２２０・・・無線部
２３０・・・Ｖｏｉｐエンジン
２４０・・・ＬＡＮインタフェース（ＩＦ）
３００・・・子機
３０２・・・音声信号処理部
３０３・・・無線部
３０４・・・制御部
３４１・・・着信検出制御部
３０５・・・マイク・スピーカ部
３０６・・・操作・表示部
３０７・・・メモリ
３７１・・・子機設定登録部
２０・・・・設定管理サーバ
３０・・・・接続制御サーバ
４０・・・・管理者ＰＣ装置
【図１】
2008187568.tif 000003
【図２】
2008187568.tif 000004
【図３】
2008187568.tif 000005
【図４】
2008187568.tif 000006
【図５】
2008187568.tif 000007
【図６】
2008187568.tif 000008